(57)【特許請求の範囲】
【請求項１】
複数の紙片が重ね合わせられ、重ね合わせ面が離反可能に一体化されてなるとともに、各紙片の同一端側が連接されてなり、連接部を起点に冊子状に剥離展開可能な郵送体であって、所定の前記紙片の連接部に直交する一方の端縁における連接部位と途中部位とに形成した所定の深さの一対の切り部とこれら切り部の奥端どうしを結ぶように形成した支持片用折り部とからなり、前記支持片用折り部で折り曲げてその縁を隣接する紙片に当接することによって冊子状の展開状態を保持するための支持片を設けてなり、前記重ね合わせた紙片の表出面の一つに宛名情報記載部が設けられ、前記表出面以外の所定紙片面に広告伝達情報が設けられてなることを特徴とする重ね合わせ郵送体。
【請求項２】
長方形のシートに、その長手方向に延びる端縁と直交する方向に伸びるとともに、それぞれ等間隔をおいて設けた３本の折り部で区画してなる連続した４紙片を形成し、前記４紙片のうち両端の２紙片の前記各折り部とは反対端縁を連接して筒状となし、前記各折り部を挟んで隣接する２紙片に、前記折り部と直交する方向に伸びかつ前記各折り部を通過する互いに平行な二本の切り込みを設け、前記各折り部及び前記連接端を挟んで互いに隣接しない２紙片を前記各折り部と同方向に延びるように中央に設けた折り部で内側に折ることによって、折り畳んで４紙片を重ね合わせ、各重ね合わせ面が離反可能に一体化されてなる郵送体であって、前記重ね合わせて表出する紙片の表出面の一つに宛名情報記載部が設けられ、前記表出面以外の所定紙片面に広告伝達情報が設けられてなることを特徴とする重ね合わせ郵送体。
【発明の詳細な説明】
【０００１】
【発明の属する技術分野】
本発明は、連続した複数の紙片が重ね合わせられ、重ね合わせ面には少なくとも一側に連接部が形成されるとともに、重ね合わせ面が離反可能に一体化されてなり、受領者が複数の紙片の重ね合わせ面を離反し起立状態として使用する葉書や封筒等の重ね合わせ郵送体に係り、特に、この重ね合わせ郵送体を受け取った後に、前記重ね合わせ面を冊子状に剥離展開したり、立体的な筒状となしてテーブル等の上に起立状態で置き、展開面や筒外周面に表示された広告伝達情報を複数の人の目に触れるようになしたものに関する。
【０００２】
【従来の技術】
従来、差出人が受領者に伝達したい各種広告伝達情報を郵送体たる葉書や封書で送った場合、受領者は、前記広告伝達情報（葉書ではその裏面部に表示された商品等の紹介情報、また、封筒では封入したパンフレットに表示された商品等の紹介情報）の内容を一度確認すると、前記商品等にある程度の興味をもったとしても、葉書やパンフレットは人目に付かない状態で放置されていた。
【０００３】
【発明が解決しようとする課題】
このように放置された上記葉書やパンフレットは、時間が経過するにつれて忘れられ、再び前記情報内容を確認することなく廃棄されることが多く、従来の郵送体による広告では、大きな広告効果を期待できないという問題があった。そして、本発明は、このような問題を解消することを課題とし、該課題を解決した重ね合わせ郵送体を提供することを目的とする。
【０００４】
【課題を解決するための手段】
上記目的を達成するために、本発明の請求項１に記載した重ね合わせ郵送体は、複数の紙片が重ね合わせられ、重ね合わせ面が離反可能に一体化されてなるとともに、各紙片の同一端側が連接されてなり、連接部を起点に冊子状に剥離展開可能な郵送体であって、所定の前記紙片の連接部に直交する一方の端縁における連接部位と途中部位とに形成した所定の深さの一対の切り部とこれら切り部の奥端どうしを結ぶように形成した支持片用折り部とからなり、前記支持片用折り部で折り曲げてその縁を隣接する紙片に当接することによって冊子状の展開状態を保持するための支持片を設けてなり、前記重ね合わせた紙片の表出面の一つに宛名情報記載部が設けられ、前記表出面以外の所定紙片面に広告伝達情報が設けられてなるものである。
【０００５】
また、請求項２に記載した重ね合わせ郵送体は、長方形のシートに、その長手方向に延びる端縁と直交する方向に伸びるとともに、それぞれ等間隔をおいて設けた３本の折り部で区画してなる連続した４紙片を形成し、前記４紙片のうち両端の２紙片の前記各折り部とは反対端縁を連接して筒状となし、前記各折り部を挟んで隣接する２紙片に、前記折り部と直交する方向に伸びかつ前記各折り部を通過する互いに平行な二本の切り込みを設け、前記各折り部及び前記連接端を挟んで互いに隣接しない２紙片を前記各折り部と同方向に延びるように中央に設けた折り部で内側に折ることによって、折り畳んで４紙片を重ね合わせ、各重ね合わせ面が離反可能に一体化されてなる郵送体であって、前記重ね合わせて表出する紙片の表出面の一つに宛名情報記載部が設けられ、前記表出面以外の所定紙片面に広告伝達情報が設けられてなるものである。
【０００６】
【発明の実施の形態】
以下に、本発明を葉書に適用した好適な第１実施形態を添付図面に基づいて詳細に説明する。ここにおいて、図１〜図６は第１実施形態を示し、図１は重ね合わせ葉書表側の斜視図、図２は重ね合わせ葉書の展開途中の状態を示す平面図、図３は重ね合わせ葉書を展開して使用状態となした斜視図、図４は葉書シートの表面図、図５は同じく裏面図、図６は重ね合わせ葉書の作成途中の状態を示す斜視図である。
【０００７】
図１に示すように、重ね合わせ郵送体である重ね合わせ葉書１は、連続した三枚の紙片２，３，４を折り部５，６でＺ字状に折って重ね合わせ、各重ね合わせ面を、剥離可能で、一旦剥離すると再接着不能な感圧性接着剤ａにより接着するとともに、前記各重ね合わせ面の折り部５，６に沿った帯状部分を、通常の接着力を有する感圧性接着剤ｂにより剥離困難に接着してなる。この剥離困難な接着部分と折り部５、６が連接部を構成する。また、前記折り部５を挟んで対接する帯状部分の感圧性接着剤ｂで剥離困難に接着し、この折り部５側の剥離困難な接着部分の内側に沿った三紙片２，３，４には、それぞれ折り部７を形成する一方、折り部６側の連接部に沿った内側には、各紙片２，４の表出面に、前記連接部を切り離すための切り取り線８をそれぞれ設ける。さらに、前記紙片２の表出面には、ほぼ中央に、宛名情報を記載するための宛名情報記載部９を設けるとともに、前記切り取り線８の下部近傍に、「この線に沿ってハサミで切って下さい。」という切り取りメッセージ８ａをあらかじめ印刷して表示し、下辺側に、差出人情報９ａをあらかじめ印刷して表示してある。さらに、各紙片２，３，４の各重ね合わせ面と紙片４の表出面とには、差出人が受領者に見てほしい商品の紹介情報等の広告伝達情報１０ａ，１０ｃ，１０ｄ，１０ｅをあらかじめ印刷して表示してある。
【０００８】
また、前記重ね合わせ葉書１は、紙片２の天端縁１１の前記折り部７端から斜めに１２０度の角度で所定長の深さまで切り込んだ切り部たる切り用ミシン目１２ａと、天端縁１１の中間部位から直角に、前記切り用ミシン目１２ａと同様の深さまで切り込んだ切り部たる切り用ミシン目１２ｂを設け、これら切り用ミシン目１２ａ，１２ｂの各奥端を結び、前記天端縁１１と平行に伸びる支持片用折り部１２ｃを設けてある。また、紙片３の天端縁１３の前記折り部７に対応する部分の近傍からも、斜め１２０度の角度で、前記切り用ミシン目１２ａ，１２ｂの深さよりも浅い深さまで切り込んだ切り部たる切り用ミシン目１４ａと、天端縁１３の中間部位から直角に、前記切り用ミシン目１４ａと同様の深さまで切り込んだ切り部たる切り用ミシン目１４ｂを設け、これら切り用ミシン目１４ａ，１４ｂの各奥端を結び、前記天端縁１３と平行にそれぞれ伸びる支持片用折り部１４ｃを設けてある。これら各切り用ミシン目１２ａ，１２ｂ間、切り用ミシン目１４ａ，１４ｂ間の各部分は、支持片用折り部１２ｃ，１４ｃをほぼ直角に折ることによって、それぞれ支持片１２，１４となしうるものである。前記各支持片１２，１４は、前記三紙片２，３，４の折り部５側の連接部を起点に、各折り部７を折り曲げて冊子状に剥離展開した際、前記切り用ミシン目１２ａ，１４ａの各縁を隣接する紙片３，４の各内側面に当接し、展開状態を保持することができるものである。
【０００９】
なお、各紙片２，３，４の展開角度は、切り用ミシン目１２ａ，１４ａの切り込み角度で決定されるもので、上記切り用ミシン目１２ａ，１４ａの切り込み角度はそれぞれ１２０度としてあるので、支持片１２，１４により保持される各紙片２，３，４の展開角度は、それぞれ１２０度となるのである。
【００１０】
そして、冊子状に展開した重ね合わせ葉書１は、各紙片２，３，４の地端縁を下にしてテーブル等の上に起立状態で載置する（図３参照）ことができる。
【００１１】
図４、図５に示すように、重ね合わせ葉書１を作成するための葉書シート１ａは、折り部５，６を介して連続する各紙片２，３，４の表面側のうち紙片２に、差出人情報９ａ、切り取り線８、切り取りメッセージ８ａをあらかじめ印刷して表示するとともに、宛名情報記載部９を設け、紙片３，４に、伝達情報１０ｂ，１０ｄをあらかじめ印刷して表示してある。また、各紙片２，３，４の裏面側には、広告伝達情報１０ｅ，１０ｃ，１０ａをあらかじめ印刷して表示してある。また、重ね合わせ面のほぼ全体には、剥離可能で、一旦剥離すると再接着不能な感圧性接着剤ａを塗布するとともに、紙片３の折り部５に沿った連接部となる帯状部分の表面（重ね合わせ面）側と、紙片４の外側縁に沿った連接部となる帯状部分の表面（重ね合わせ面）側と、紙片２の外側縁に沿った連接部となる帯状部分の裏面（重ね合わせ面）側と、紙片３の、折り部６に沿った連接部となる帯状部分の裏面（重ね合わせ面）側と、紙片２，３の折り部５を挟んだ帯状部分裏面（重ね合わせ面）側には、一旦接着すると剥離困難な通常の接着力を有する感圧接着剤ｂを塗布してある。
【００１２】
さらに、前記葉書シート１ａは、紙片２の天端縁１１の前記折り部７端から所定の深さに達するよう、天端縁１１に対して１２０度の角度で切り込んだ切り用ミシン目１２ａと、天端縁１１の中間部位に、天端縁１１に対して９０度の角度で切り込んだ切り用ミシン目１２ｂを設ける一方、紙片３の天端縁１３の前記折り部７側の剥離困難部分端から、前記切り用ミシン目１２ａの深さより浅く、天端縁１３に対して１２０度の角度で切り込んだ切り用ミシン目１４ａと、天端縁１３の中間部位に、天端縁１１に対して９０度の角度で切り込んだ切り用ミシン目１４ｂを設け、これら切り用ミシン目１２ａ，１４ａと切り用ミシン目１２ｂ，１４ｂの各奥端を結び、前記各紙片２，３の前記天端縁１１，１３にそれぞれ平行に伸びる支持片用折り部１２ｃ，１４ｃが設けてある。
【００１３】
このように構成した葉書シート１ａによる重ね合わせ葉書１の作成方法は、あらかじめ宛名情報等の印字情報を入力してあるコンピュータに連繋したプリンター（図示せず）により、必要であれば追加伝達情報をプリントするとともに、宛名情報記載部９に宛名情報をプリントした後、折り部５，６で紙片２，３，４をＺ字状に折り重ね（図６参照）、重ね合わせ面全体に圧力をかけて連接部を含む各重ね合わせ面を接着するのである。
【００１４】
以上のように作成された重ね合わせ葉書１を受け取った受領者は、切り取り線８をハサミで切って折り部６側の連接部を取り除いた後、三紙片２，３，４の重ね合わせ面を剥離して、折り部５側の連接部を起点に、各紙片２，３，４間の各内角が１２０度となるように、折り部７から冊子状に剥離展開するとともに、切り用ミシン目１２ａ，１２ｂ、切り用ミシン目１４ａ，１４ｂを切り、支持片用折り部１２ｃ，１４ｃを直角に折って支持片１２，１４を形成し、この支持片１２，１４で前記展開状態を保持し、各紙片２，３，４の地端縁を下にしてテーブル等の上に起立状態で載置すれば、広告伝達情報１０ａ〜１０ｅが複数の人の目に触れ、高い広告効果を得られる。また、上記重ね合わせ葉書１は、広告伝達情報１０ａ〜１０ｅを表示するための表示面を、三紙片２，３，４で最大五面確保できるので、表示面が多いという利点がある。
【００１５】
続いて、本発明を封筒に適用した第２実施形態を図７〜図１０に基づいて説明する。ここにおいて、図７は重ね合わせ封筒の表側斜視図、図８は重ね合わせ封筒を立体化して起立状態となした斜視図、図９は封筒シートの表面図、図１０は同じく裏面図である。
【００１６】
図７に示すように、重ね合わせ封筒２１は、連続した四紙片２５，２６，２７，２８を折り部２２，２３，２４で同方向に折り、両外側の紙片２５，２８の、折り部２２，２４とは反対側端を帯状に剥離困難に接着して四角筒状となし、紙片２６，２８の中央の折り部２９，３０からそれぞれ内側に折り畳んで重ね合わせる。この際、前記紙片２８の帯状接着部分の内側にも折り部３１を設ける。そして、各紙片２５，２８の剥離困難な帯状部分で連接部を構成する。また、紙片２６．２８の前記各重ね合わせ面は、一旦剥離すると再接着不能な感圧性接着剤ａにより剥離可能に接着されるとともに、この重ね合わせ面と他の非接着状態の各重ね合わせ面のそれぞれの天地端は、通常の接着力を有する感圧性接着剤ｂにより帯状に剥離困難に接着する。また、この剥離困難な各接着部分に沿った各内側部位には、切断部たる切り用ミシン目３４，３５を設ける。
【００１７】
さらに、前記各折り部２２，２３，２４で区画された各紙片２５〜２８の表出面の一つである紙片２５の表出面は、宛て名を記載するための宛名情報記載部３２となし、前記紙片２６の折り重ねた重ね合わせ面と、紙片２７の表出面と、紙片２８の折り重ねた重ね合わせ面とには、差出人が受領者に見てほしい商品の紹介情報等の広告伝達情報３３ａ，３３ｂ，３３ｃをあらかじめ印刷して表示する。
【００１８】
図９及び図１０に示すように、重ね合わせ封筒２１を作成するための封筒シート２１ａは、紙片２５の表出面に、宛名情報記載部３２を設けるとともに、差出人情報３２ａをあらかじめ印刷してあり、また、各紙片２５〜２８の表面側には、商品等の紹介情報である広告伝達情報３３ａ，３３ｂ，３３ｃがあらかじめ印刷してある。前記紙片２６，２８には、剥離可能で、かつ一旦剥離すると再接着不能な感圧性接着剤ａを塗布するとともに、天地端に沿った帯状部分に、接着すると剥離困難な感圧性接着剤ｂをそれぞれ塗布し、また、紙片２８表面側と紙片２５裏面側の、各折り部２２，２４とは反対側の外側縁に沿った帯状部分と、紙片２５，２６，２７，２８の裏面側の天地端とにも、前記感圧性接着剤ｂが塗布してある。
【００１９】
また、図１１に示すように、紙片２５，２６，２７，２８に、折り部２２，２３，２４と直交する方向に伸びかつ前記各折り部２２，２３，２４を通過する二本ずつの所定長の切り込み３６，３６を設け、受領者が立体化する際に、前記切り込み３６，３６の折り部２２，２３，２４部分を内側に押し込むことによって補強部３６ａとなし、四角筒形状をより確実に保持するように構成する。
【００２０】
このように構成した封筒シート２１ａによって、重ね合わせ封筒２１を作成するには、あらかじめ宛名情報等の印字情報を入力してあるコンピュータに連繋したプリンター（図示せず）により、必要であれば追加伝達情報をプリントするとともに、宛名情報記載部３２に宛名情報をプリントした後、折り部２２，２３，２４，３１を同方向に折るとともに、紙片２５と紙片２８の各外側縁を帯状に重ね合わせ、紙片２６，２８中央の折り部２９，３０を内側に押し込んで折り畳み、紙片２５，２６，２７，２８の天地端に沿った帯状部分を含む各重ね合わせ面に圧力をかけて、感圧性接着剤ａ塗布部分と感圧性接着剤ｂ塗布部分を接着するのである。
【００２１】
前記重ね合わせ封筒２１は、必要であれば、天地端の少なくとも一方を帯状に剥離困難に接着する前に、非接着状態の重ね合わせ面で形成された内部に書面等を封入することができる。そして、この重ね合わせ封筒２１の受領者は、天地端近傍の切断部たる切り用ミシン目３４，３５を切断し、内側に折り重ねた紙片２６，２８の重ね合わせ面を剥離し、紙片２６，２８の中央の折り部２９，３０から内側に折り畳んであるのを伸ばして該紙片２６，２８を平面状に復帰させて立体的な四角筒状となし、切り込み３６，３６の折部２２，２３，２４部分を内側に押し込み補強部３６ａを形成する（図８及び図９参照）。このように立体化した重ね合わせ封筒２１を、連接部と直交する辺である地端縁を紙片起立用辺としてテーブル等の上に起立状態で載置すれば、広告伝達情報３３ａ，３３ｂ，３３ｃが複数の人の目に触れ、高い広告効果を得られる。また、上記重ね合わせ封筒２１は、起立状態
においてその外周に広告伝達情報３３ａ〜３３ｃが表示されているので、広告が見やすいという利点がある。
【００２２】
なお、上記第２実施形態の変形例（図示せず）としては、各紙片２５，２６，２７，２８の重ね合わせ面（裏面側）を、一旦剥離すると再接着不能な感圧性接着剤ａで剥離可能に接着することによって、葉書形態として構成したものがある。この葉書は、前記全ての重ね合わせ面である、紙片２５，２６、紙片２５，２８、紙片２６，２７、紙片２７，２８の各重ね合わせ面を剥離可能に接着するものであり、この点を除く他の構成は前記第２実施形態と同一である。
【００２３】
そして、テーブル等の上に起立させるべく立体化させる際は、紙片２５，２６、紙片２５，２８、紙片２６，２７、紙片２７，２８のそれぞれ接着状態の各重ね合わせ面と、内側に折り重ねた紙片２６，２８の接着状態の各重ね合わせ面を剥離し、紙片２６，２８の中央の折り部２９，３０から内側に折り畳んであるのを伸ばして該紙片２６，２８を平面状に復帰して四角筒状となすのである。
【００２４】
なお、本発明は、上記各実施形態に限定されるものではなく、例えば、第１実施形態において、紙片の枚数は２枚あるいは４枚以上であってもよいほか、支持片１２，１４は、いずれの紙片に設けてもよい。また、支持片を形成する際に、天端縁１１，１３に平行な支持片用折り部１２ｃ，１４ｃで折るのではなく、斜めに伸びる支持片用折り部で折ってもよい。また、支持片１２，１４は、紙片起立用辺である紙片２，３，４の地端縁に設けてもよい。
【００２５】
【発明の効果】
以上のように、請求項１に記載した本発明は、重ね合わせ郵送体を受領した後に、これを冊子状に展開して立体化しテーブル等の上に起立状態で載置することが可能なので、広告伝達情報が長期間複数の人の目に触れ、高い広告効果等を得ることがき、また、切り部を切り支持片用折り部で折ってなる支持片を、切り用ミシン目の各縁を隣接する紙片の各内側面に当接させ得るので、前記冊子状の展開状態を容易に保持することができるという効果を奏する。
【００２６】
さらに、請求項２に記載した本発明は、重ね合わせ郵送体を受領した後に、これを展開して四角筒状に立体化しテーブル等の上に起立状態で載置することが可能なので、広告伝達情報が長期間複数の人の目に触れ、高い広告効果等を得ることができ、また、切り込みを設けた所定の紙片の折り部部分を内側に押し込むことによって、補強部を形成し得るので、安定した起立状態を確保できるとともに、起立状態において、その外周面に広告伝達情報が表示されているので、該情報が見やすいという効果を奏する。
【図面の簡単な説明】
【図１】重ね合わせ葉書表側の斜視図。
【図２】重ね合わせ葉書の展開途中の状態を示す平面図。
【図３】重ね合わせ葉書を展開して使用状態となした斜視図。
【図４】葉書シートの表面図。
【図５】同じく裏面図。
【図６】重ね合わせ葉書の作成途中の状態を示す斜視図。
【図７】重ね合わせ封筒の表側斜視図。
【図８】重ね合わせ封筒を立体化して使用状態となした斜視図。
【図９】封筒シートの表面図。
【図１０】同じく裏面図。
【図１１】使用状態の横断平面図。
【符号の説明】
１  重ね合わせ葉書
１ａ  葉書シート
２，３，４  紙片
５，６，７  折り部
８  切り取り線
８ａ  切り取りメッセージ
９  宛名情報記載部
９ａ  差出人情報
１０ａ，１０ｂ，１０ｃ，１０ｄ，１０ｅ  広告伝達情報
１１，１３  天端縁
１２，１４  支持片
１２ａ，１４ａ  切り用ミシン目
１２ｂ，１４ｂ  支持片用折り部
２１  重ね合わせ封筒
２１ａ  封筒シート
２２，２３，２４  折り部
２５，２６，２７，２８  紙片
２９，３０  折り部
３１  折り部
３２  宛名情報記載部
３２ａ  差出人情報
３３ａ，３３ｂ，３３ｃ  広告伝達情報
３４，３５  切り用ミシン目
３６  切り込み
３６ａ  補強部
【図１】
0003891717.tif 000002
【図２】
0003891717.tif 000003
【図３】
0003891717.tif 000004
【図４】
0003891717.tif 000005
【図５】
0003891717.tif 000006
【図６】
0003891717.tif 000007
【図７】
0003891717.tif 000008
【図８】
0003891717.tif 000009
【図９】
0003891717.tif 000010
【図１０】
0003891717.tif 000011
【図１１】
0003891717.tif 000012